(57)【要約】【課題】厨芥を排出する排水管に、ディスポーザの運転時や厨芥排出時に発生する振動等が伝播されても、振動を吸収する防振手段により、排水管が振動によって騒音発生源となるのを抑制した厨芥処理装置を提供する。【解決手段】流し台に具備したディスポーザと、前記ディスポーザにて破砕された厨芥を収集して下方に流出させる排水管とを有する厨芥処理装置において、前記排水管の下部に防振手段を設置し、この防振手段によって、排水管に伝播される衝撃や振動を吸収・緩和させて、騒音の発生を抑制するようにしたことを特徴とする。【選択図】　　　　図１
2004068294.tif 000002
【特許請求の範囲】
【請求項１】
流し台に備えたディスポーザと、前記ディスポーザにて破砕された厨芥を収集して下方に流出させる排水管とを有する厨芥処理装置において、前記排水管の下部に防振手段を設けたことを特徴とする厨芥処理装置。
【請求項２】
前記ディスポーザが複数階を有する集合住宅等に設けられるとともに、前記排水管がディスポーザにて粉砕された厨芥を収集し下方に流出させることを特徴とする請求項１記載の厨芥処理装置。
【請求項３】
前記防振手段は、２つ以上の管体の壁面同士を、弾性体を介して摺動移動可能に接続して構成したことを特徴とする請求項１記載の厨芥処理装置。
【請求項４】
前記防振手段は、流し台に備えたディスポーザ等に給水する給水管の配管途中に具備するようにしたことを特徴とする請求項３記載の厨芥処理装置。
【発明の詳細な説明】
【０００１】
【発明の属する技術分野】
本発明は、例えば、住居を所要複数階にまたがって形成した、所謂集合（共同）住宅において、ディスポーザにより生ゴミ等を細かく破砕した厨芥を、水道水や台所排水とともに排水する排水管に、ディスポーザの運転中に生ずる振動が伝播したり、前記厨芥等を排水管から流下させた際に発生する衝撃力等を良好に吸収緩和して、前記振動や衝撃力等によって発生する騒音を排水管の外部に漏出させることなく良好に抑制可能とした、厨芥処理装置に関する。
【０００２】
【従来の技術】
近年、家庭等にて発生する生ゴミ等を台所の流し台に取付けたディスポーザにより、細かく破砕した厨芥を排水管に流し、これを、例えば、建屋に併設した厨芥排水処理設備によって台所排水とともに、清浄に浄化処理して下水等に排水するようにしている。
【０００３】
しかし、前記生ゴミをディスポーザにて破砕処理する場合、ディスポーザはその運転中に大きな振動や騒音が発生し利用者に不快感を与えることがあった。このため、例えば、ディスポーザを流し台に取付ける場合、ゴム等からなる防振部材を介在させることにより、ディスポーザの運転によって発生する振動が流し台に伝播して騒音が生じるのを抑制したり、また、排水管側においても、ディスポーザとの間で可撓性のパイプを取付ける等して、ディスポーザの運転によって発生する振動による騒音が、排水管を伝って外部に伝播するのを阻止するようにしていた。
【０００４】
【発明が解決しようとする課題】
然るに、前記ディスポーザを用いて生ゴミを破砕する際、戸建住宅の場合は、前記の対策によって、騒音問題はある程度回避できると思われるが、例えば、住居を２階以上複数階にまたがって形成した、所謂集合（共同）住宅においては、各居住者がディスポーザにより生ゴミを破砕処理した場合、前記処理した厨芥は、ディスポーザと連結した排水支管（横配管）を介して各階共通の排水管（縦配管）内を流下し、集合住宅等の地下等に設置した厨芥排水処理設備に流入し、厨芥を微生物処理等により、例えば、水と炭酸ガスとに分解し、汚水を清浄化し下水等に排水していた。
【０００５】
しかし、前記厨芥は排水管内を流下する場合、排水管の下部は大部分が、例えば、Ｌ字型に曲成されて厨芥排水処理設備と連通するように構成されている関係上、前記厨芥は、排水管の上（高）層階部分から流下する程前記Ｌ字型の曲成部に早い速度で衝接した状態で厨芥排水設備に流入するため、前記排水管の曲成部付近には常に大きな衝撃力が発生し、この衝撃力は集合住宅が高層化すればするほど大きくなり、この衝撃力は排水管を伝って各階の住居にそれぞれ大きな騒音となって伝播するという由々しき問題があった。この問題は前記のように、集合住宅が高層化するほど顕著となり、居住者にとっては深刻な問題であった。
【０００６】
また、前記厨芥が流下する排水管は、一般に金属や塩化ビニール等からなる剛性のパイプを用いて配管されている関係上、ディスポーザからの振動が伝播されやすく、前記伝播された振動が排水管内で共鳴して騒音を発生させたり、前記厨芥がその流下時排水管の曲成部に衝接する度に繰り返し発生する衝撃力によって排水管が疲労し、経年の間に破損するというおそれがあった。更に、前記ディスポーザの運転時に発生する振動は、流し台に付設した給水栓やディスポーザと連通する給水支管を介して水道水を供給する給水管にも伝播し、前記給水管を共鳴させたりして騒音を発生させ、この騒音は前記排水管に生ずる騒音と相まって、特に深夜等に発生したりすると、居住者の安眠等を妨げる大きな要因となっていた。
【０００７】
本発明は、前記種々の問題点に鑑み、生ゴミを処理するディスポーザの運転中に発生する振動や、生ゴミを破砕処理した厨芥や台所排水等を排出する排水管の下部で厨芥の落下等により発生する衝撃力が、水道水の給水管，排水管に伝播して騒音が発生するという問題を良好に抑制可能とした、防振効果を確保できる厨芥処理装置を提供することにある。
【０００８】
【課題を解決するための手段】
請求項１記載の発明は、流し台に備えたディスポーザと、前記ディスポーザにて破砕された厨芥を収集して下方に流出させる排水管とを有する厨芥処理装置において、前記排水管の下部に防振手段を設けたことを特徴とする。
【０００９】
請求項１記載の発明においては、生ゴミをディスポーザにより細かく破砕した厨芥を台所排水等と一緒に排水する排水管には、その下部に防振手段を介在させたので、前記厨芥が台所排水等とともに排水管内を流下して、その下部曲成部に衝接する都度発生する衝撃力を、前記防振手段によって良好に吸収・緩和させることができるため、前記衝撃力が排水管に伝播したときに生じる騒音を良好に抑制・軽減することが可能となる。
【００１０】
請求項２記載の発明は、請求項１記載の厨芥処理装置において、前記ディスポーザが複数階を有する集合住宅等に設けられるとともに、前記排水管がディスポーザにて粉砕された厨芥を収集して下方に流出させることを特徴とする。
【００１１】
請求項２記載の発明においては、２階以上で所要複数階にまたがって形成した所謂、集合住宅において、ディスポーザを所要の各住居に設置し、かつ、生ゴミを前記ディスポーザにて処理した際に生じる厨芥の排出等は、各住居の共通配管となる排水管にて行い、しかも、前記排水管の下部には防振手段が具備されているので、ディスポーザにより破砕された厨芥が排水管内を流下し、排水管下部の曲成部等に衝接した際に生じる衝撃力は、前記防振手段によって良好に吸収・緩和させることができるため、２階以上で複数階にまたがって住居を形成した集合住宅において、厨芥の排水管への排出に伴う騒音の発生を、容易に軽減することができる。
【００１２】
請求項３記載の発明は、請求項１記載の厨芥処理装置において、前記防振手段は、２つ以上の管体の壁面同士を、弾性体を介して摺動移動可能に接続して構成したことを特徴とする。
【００１３】
請求項３記載の発明においては、排水管下部の一方の管体の曲成部等に厨芥が流下・衝接した際に発生する衝撃力は、防振手段の要部を構成する弾性体により容易に吸収・緩和されて、排水管に衝撃力が伝播するのを極力抑制するように構成したので、厨芥の排出に伴う騒音の発生を良好に抑制することができるとともに、排水管が前記衝撃力等によって損傷するのを回避することができる。
【００１４】
請求項４記載の発明は、請求項３記載の厨芥処理装置において、前記防振手段は、流し台に備えたディスポーザ等に給水する給水管の配管途中に具備するようにしたことを特徴とする。
【００１５】
請求項４記載の発明においては、ディスポーザの運転中に発生する振動が、給水管側に伝播された場合においても、前記給水管側に防振手段を具備させることにより、前記振動を円滑に吸収して、給水管に振動が伝播して発生する騒音を良好に抑制することができる。
【００１６】
【発明の実施の形態】
以下、本発明の実施例を図１ないし図３によって説明する。図１において、１は２階以上で所要階数の住居を備えた集合住宅等の建物を示し、建物１の各住居２には、生ゴミを破砕処理するディスポーザ３が流し台３ａに設置されている。
【００１７】
各住居２に設置したディスポーザ３によって生ゴミを粉砕処理した厨芥は、例えば、給水管４と分岐接続されて各住居２に給水する給水支管４ａによって、ディスポーザ３の図示しない粉砕部に給水される水、あるいは、前記給水支管４ａと連通可能に設けた給水栓５に通水され、この給水栓５から流し台３ａに排水されてディスポーザ３内に流入する水によって、ディスポーザ３と連接された排水支管６ａを通って排水管６に流入集合して流下する。
【００１８】
なお、前記給水管４から分岐されてディスポーザ３に給水する給水支管４ａにおいては、図示しない電磁弁等の開閉手段が具備され、ディスポーザ３の運転時開放されて水道水をディスポーザ３内に給水し、ディスポーザ３の運転を中止したときは閉鎖されて水道水のディスポーザ３への給水を断つように構成されている。また、ディスポーザ３の運転中に給水される水は、給水支管４ａからディスポーザ３内に直接流入させる代りに、前記の如く給水支管４ａを給水栓５に連結し、ディスポーザ３の運転中は給水栓５を手動操作して水道水をディスポーザ３に通水するようにしてもよい。
【００１９】
更に、ディスポーザ３と連接する排水支管６ａは、ディスポーザ３とは、図１に示すように、Ｕトラップ６ｂを介して接続されており、また、排水管６とはＴ字型の管継手６ｃを用いて連通可能に接続されている。
【００２０】
建物１の各住居２のディスポーザ３は、Ｕトラップ６ｂと排水支管６ａを介して排水管６と連接し、厨芥を排出する前記排水管６の下部は、図１に示すように、厨芥や台所排水等を一時貯留する貯留槽７に対して、防振手段１０，連通管７ａを介して連通可能に連結されている。また、この貯留槽７は厨芥排水設備８とポンプ９を介して、貯留槽７の貯留水を厨芥排水設備８に排出できるように連結されている。
【００２１】
つづいて、排水管６の下部に設けた防振手段１０の構造を図２によって説明する。図２において前記防振手段１０は、排水管６と連通管７ａとを連通可能に接続するＬ字型の管継手（以下、連結管という）１１と、一端を排水管６の外周に締付バンド（図示せず）等の締着手段を用いて締着し、他端は連結管１１の排水管６側に位置する端部に止着して、排水管６と連結管１１とにまたがって取付けたゴム，合成樹脂，金属薄板等からなる蛇腹状の弾性体１２と、更に、前記連結管１１の一方端に螺着されて弾性体１２と連結管１１とを締着保持する第１の締付ナット１３と、前記連結管１１の他方端に螺着されて連結管１１と連通管７ａとを断面楔型のＯリング１４を介して、前記連結管１１を連通管７ａに弾性体１２の伸縮範囲で摺動移動可能に締着保持させる第２の締付ナット１３ａとによって構成されている。１５は排水管６と連結管１１との間に介在したＯリングで、排水（汚水）が配管の外に漏出するのを防ぐ。
【００２２】
また、図３に示す防振手段１０ａは、給水管４と連通する給水支管４ａに取付けられており、この防振手段１０ａの基本構成は、排水管６に設置した防振手段１０とほぼ同じである。防振手段１０と異なる部分は、給水管４と給水支管４ａとを連結する連結管１１ａが防振手段１０では、Ｌ字型の管継手を使用しているが、防振手段１０ａは、図３に示すように、直線形状の連結管１１ａを使用している点で異なる。これは、給水管４と給水支管４ａとは直線状態で接続するためのもので、防振手段１０のように、排水管６のコーナ部（曲成部）を接続する場合と異なるに他ならない。なお、防振手段１０ａを構成する弾性体１２ａ，締付ナット１３ｂ，１３ｃ，Ｏリング１４ａ，１５ａについては、防振手段１０と同様の部材を使用して構成されているので、説明は割愛する。
【００２３】
次に動作について説明する。本発明においては、生ゴミをディスポーザ３にて破砕処理している場合に発生する振動は、排水支管６ａを介して排水管６に伝播されるとともに、給水支管４ａにも伝播される。また、ディスポーザ３にて破砕処理された厨芥は、例えば、ディスポーザ３に給水された水と一緒に前記Ｕトラップ６ｂ，排水支管６ａを通って排水管６に流入する。
【００２４】
そして、前記排水管６に流入した厨芥等は、排水管６内を落下（流下）し、連結管１１のコーナ部付近に衝接しながら連結管１１，連通管７ａを通って貯留部７に流入する。前記厨芥等が連結管１１内に落下すると、落下速度に対応した衝撃力が連結管１１に加わり連結管１１は振動することになる。
【００２５】
前記の振動は、排水管６，連結管１１，連通管７ａが従前のように、剛体によって連結されておれば、前記振動はこれを吸収する部材が存在していないため、排水管６内で共鳴して大きな騒音を発生することになる。しかし、本発明においては、前記したように連結管１１の部位で振動が発生すると、この振動により連結管１１は、第１の締付ナット１３にて該連結管１１に連接した弾性体１２を介して、連結管１１自体を排水管６との間で摺動移動させて、前記振動を吸収することができる。
【００２６】
この際、連結管１１は連通管７ａ側の基端を支点として上下方向に摺動移動する。即ち、前記衝撃力の発生によって連結管１１は、上下方向に摺動（振動）するものの、これは衝撃力が発生したために生じる現象であり、この衝撃力によって連結管１１は摺動移動して衝撃力を弾性体に吸収させることが可能となる。前記衝撃力は、連結管１１を摺動（振動）させることにより弾性体１２に吸収させることができるので、連結管１１の振動が排水管６に伝播されるという事態は、前記弾性体１２の存在によって良好に回避することができる。
【００２７】
一方、連通管７ａにおいては、連結管１１が連通管７ａ側を支点として上下方向に振動するものの、連結管１１は、前記連通管７ａに挿通されており、かつ、楔型のＯリング１４によって連通管７ａの軸方向への移動が規制されているため、連結管１１の摺動（振動）によって生じる振動は連通管７ａに伝播されることはない。従って、厨芥等が連結管１１に衝接した際に生じる衝撃力は、排水管６や連通管７ａへの伝播が弾性体１２の存在によって良好に阻止することができるので、厨芥の排出、ディスポーザ３の運転によって排水管６に振動等が伝播され、排水管６を伝って騒音が外部に伝播するといった問題は良好に回避することができる。
【００２８】
また、ディスポーザ３の運転中は、ディスポーザ３に水を給水する給水支管４ａを介して、給水管４にディスポーザ３の運転によって発生する振動が直接伝播されるものの、前記給水管４と給水支管４ａとは、防振手段１０ａを介して連接されているので、前記振動が給水管４に伝播されるのを良好に吸収して、給水管４が振動の伝播によって騒音を発生させるという問題も、容易に回避することができる。
【００２９】
以上説明したように、本発明は、ディスポーザ３と連接している排水管６や給水管４には、それぞれ防振手段１０，１０ａが具備されているので、ディスポーザ３の運転中に生じる振動や、厨芥等が排水管６内を流下して連結管１１に衝接した際に発生する衝撃力は、すべて、前記防振手段１０，１０ａの存在によって良好に吸収・緩和され、振動音の発生により排水管６，給水管４が共鳴して騒音が発生するという問題は良好に回避することが可能となる。前記振動等の存在による騒音の発生は、建物１自体が高層化する程、好適に緩和することができるので利便である。なお、排水管６に排出された厨芥は、汚水とともに、貯留部７に貯留された後順次厨芥排水設備８により、清浄化処理されて下水管に排出される。なお、本発明は、防振手段１０，１０ａとして、排水管６（給水支管４ａ）と連結管１１（１１ａ）とにまたがって弾性体１２（１２ａ）を取付けた例について説明したが、これに限定することなく、連結管１１，１１ａ自体を蛇腹上に形成し、連結管１１，１１ａに加わる衝撃や振動を緩和するようにしてもよい。
【００３０】
【発明の効果】
本発明は、以上説明したように、生ゴミを破砕処理する際に発生する振動等が、厨芥を排出する排水管や水道水を給水する給水管に伝播されても、前記排水管，給水管には、それぞれ防振手段が具備されているので、ディスポーザの使用によって生じる振動等を前記防振手段により良好に吸収・緩和することができるため、例えば、２階以上複数階の住居を具備する集合住宅等において、排水管等を媒体として発生する騒音問題を良好に抑制することができるとともに、振動等の発生により排水管等が経年劣化により損傷するという問題も確実に解消することができ、利便である。
【図面の簡単な説明】
【図１】本発明に係る厨芥処理装置の実施例を概略的に示す断面図である。
【図２】図１のＰ部分を拡大して示す断面図である。
【図３】図１のＰ１部分を拡大して示す断面図である。
【符号の説明】
１　建物
３　ディスポーザ
４　給水管
６　排水管
１０，１０ａ　防振手段
１１，１１ａ　連結管
１２，１２ａ　弾性体
【図１】
2004068294.tif 000003
【図２】
2004068294.tif 000004
【図３】
2004068294.tif 000005